(57)【要約】【課題】  カーポートのサポート柱の設置と取り外し作業を安全になし得るようにするとともにサポート柱の取り外し時の支柱への収納を可及的簡易な作業によって安定且つ確実になし得るようにする。【解決手段】  サポート柱２における上位の中空柱材２１の上下端に、そのロ字状の小口を被覆する小口キャップ３を被嵌配置し、小口による手や指を損傷する危険を解消するとともに該上位の中空柱材２１の側面長手方向全長に凹陥形成した幅広の浅溝２２を、該小口キャップ３のスカートで覆ってフック受溝３２を形成する。支柱１１に断面Ｓ字状の収納金具４を設置し、小口キャップ３のフック受溝３２に収納金具４のフック片４３を受け入れて、サポート柱不要時にこのサポート柱２を支柱１１に添設収納する。サポート柱２を落し込み状にすれば、支柱１１に近接して簡易に収納でき、サポート柱２の非収納時に収納金具４が支柱１１から大きく突出するのを防止できる。【選択図】  図４
2010138611.tif 000002
【特許請求の範囲】
【請求項１】
上位の中空柱材に下位の中空柱材をスライド自在に嵌合し、該上位の中空柱材の上位係脱金具を屋根の支持金具に、下位の中空柱材の下位係脱金具を地表の支持金具に係脱自在に係合支持して屋根先端部位を支えるサポート柱と、該サポート柱の取外し時に該サポート柱を支柱側面に添設収納する上下に一対の収納金具とを備え、上記サポート柱における上位の中空柱材を、その一側面の中央位置に長手方向全長に亘って凹陥形成した幅広の浅溝と、該上位の中空柱材におけるロ字状の小口を被覆し且つ両端外周をスカートで被覆するように長手方向両端を被嵌して設置した上下一対の小口キャップと、上記上位の中空柱材における幅広の浅溝とこれを被覆する各小口キャップのスカートによって区画形成したフック受溝と、該フック受溝の開口端の支持縁部を備えて形成する一方、上記上下に一対の収納金具を、支柱側面に固定する固定片と、上記小口キャップにおけるスカートの支持縁部を受止め支持する固定片から外向きの段状受座と、該段状受座から上向きに突出した上記フック受溝挿入支持用のフック片とを備えて断面Ｓ字状に形成してなることを特徴とするカーポートのサポート柱収納装置。
【請求項２】
上記上下一対のうち上位の小口キャップにおけるスカートの開口端を上記支持縁部とする一方、下位の小口キャップに下向き開口のスリットを配置し、該スリットの開口端を上記支持縁部としてなることを特徴とする請求項１に記載のカーポートのサポート柱収納装置。
【請求項３】
上記小口キャップを、アルミ鋳物、硬質樹脂等の成形部材としてなることを特徴とする請求項１又は２に記載のカーポートのサポート柱収納装置。
【発明の詳細な説明】
【技術分野】
【０００１】
本発明はカーポートに関し、特にサポート柱を取り外した時に該サポート柱をカーポートの支柱に添設収納するカーポートのサポート柱収納装置に関する。
【背景技術】
【０００２】
カーポート、特に片持ち屋根を有するカーポートは、該屋根の耐風圧性乃至耐荷重性を向上するために、必要に応じてサポート柱を設置し得るようにされており、該サポート柱は、断面方形乃至矩形とした上位の中空柱材に下位の中空柱材をスライド自在に嵌合し、外側に位置する上位の中空柱材から下位の中空柱材に向けた止めネジでその長さを固定する一方、上位の中空柱材の上端に上位係脱金具を、下位の中空柱材の下端に下位係脱金具を長手方向上下端からそれぞれ突設して、上記上位係脱金具を、梁長手方向先端部や前枠長手方向中間部の屋根先端部位設置の屋根支持金具に、下位係脱金具を地表埋込み設置の地表支持金具に係脱自在に係合支持することによって屋根先端部位を支えるようにしたものとされ、例えば、台風シーズン以外の時期のようにサポート柱を不要とするときには、該サポート柱を屋根先端部位と地表から取り外し、例えばカーポートの支柱側面に設置した一対の収納金具に該サポート柱を吊り収納するものとされている。このとき一対の収納金具は、例えば、サポート柱の上記上位係脱金具と下位係脱金具を用いて、これらを支持するように、支柱側面に固定する固定片と、該固定片と断面Ｌ字状に突出した外向きの支持片とを備えて形成したものとされる。
【０００３】
【特許文献１】特開平９−２２１９２９号公報
【発明の開示】
【発明が解決しようとする課題】
【０００４】
この場合、屋根先端部位の支持と、その着脱による支柱への収納を可能とするが、サポート柱は、一般に金属製、特にアルミ押出材製とされるために、上下位の中空柱材はそれぞれアルミ押出材を所定長さに切断した状態で上記スライド自在に嵌合したものとされるところ、その上下端にはアルミ押出材を切断することによって直角のエッジを有するロ字状の小口が露出していることが多く、このため、収納金具からサポート柱の屋根先端部位と地表間への設置作業、該屋根先端部位と地表間からサポート柱の収納金具への取り外し作業を行なうに際して、該小口に作業者の手や指が触れる可能性があり、従って作業者が小口に触れることによる手や指先の損傷の危険性が残されていることになる。
【０００５】
また上記収納金具は、サポート柱の上位係脱金具と下位係脱金具を用いて、これらを収納するように、固定片から断面Ｌ字状の外向きの支持片を備えるところ、該外向きの支持片の突出幅は、サポート柱の厚さに応じて、収納に際してサポート柱を回動するときはその回動半径を加えた幅とするように比較的大きくなる傾向があるところ、該収納金具は、サポート柱の使用時、即ち非収納時には支柱から突出する突起物として常時存在することになるため、収納金具設置の支柱近傍を人が通過するに際して、衣服を引っ掛けたり、手荷物を当てる可能性があり、従ってこれらによる人の転倒や手荷物の損傷の危険性が残されていることになる。
【０００６】
本発明はかかる事情に鑑みてなされたもので、その解決課題とするところは、サポート柱の小口の露出や収納金具の突出に起因する危険性を可及的に解消するとともにサポート柱の収納を可及的簡易な作業によって安定且つ確実になし得るようにしたカーポートのサポート柱収納装置を提供するにある。
【課題を解決するための手段】
【０００７】
上記課題に沿って本発明は、スライド伸縮自在のサポート柱にあって、その上位の中空柱材が定尺であることから、該定尺の上位の中空柱材を支柱に添設支持するようにして、スライド伸縮の不完全による下位の中空柱材の下端に拘らず、サポート柱の収納を可能とし、スライド伸縮の長さの収納時の伸縮調整を不用として、下位の中空柱材に手や指を触れる可能性を可及的に解消し、手や指を触れる可能性のある上位の中空柱材における長手方向両端の小口に小口キャップを配置してアルミ押出材の切断によるエッジを被覆するとともに、該長手方向両端の小口キャップの配置をサポート柱の収納手段に利用して、小口キャップ配置の上位の中空柱材一側面長手方向全長に幅広の浅溝を凹陥形成し、上記小口キャップのスカートと該浅溝によってそれぞれ上向きのフック受溝を形成し、該フック受溝の開口端を添設支持のための支持縁部とする一方、支柱に設置する収納金具を、支柱への固定片、上記支持縁部を受ける段状受座及びフック受溝に挿入するフック片を有して、可及的に突出幅を縮小した断面Ｓ字状に形成し、サポート柱を下向き落し込み状に引っ掛け支持することによって、可及的簡易に支柱への添設支持をなし得るようにして、サポート柱の小口の露出や収納金具の突出に起因する危険性を可及的に解消するとともにサポート柱の収納を可及的簡易な作業によって安定且つ確実になし得るようにしたものであって、即ち請求項１に記載の発明を、上位の中空柱材に下位の中空柱材をスライド自在に嵌合し、該上位の中空柱材の上位係脱金具を屋根の支持金具に、下位の中空柱材の下位係脱金具を地表の支持金具に係脱自在に係合支持して屋根先端部位を支えるサポート柱と、該サポート柱の取外し時に該サポート柱を支柱側面に添設収納する上下に一対の収納金具とを備え、上記サポート柱における上位の中空柱材を、その一側面の中央位置に長手方向全長に亘って凹陥形成した幅広の浅溝と、該上位の中空柱材におけるロ字状の小口を被覆し且つ両端外周をスカートで被覆するように長手方向両端を被嵌して設置した上下一対の小口キャップと、上記上位の中空柱材における幅広の浅溝とこれを被覆する各小口キャップのスカートによって区画形成したフック受溝と、該フック受溝の開口端の支持縁部を備えて形成する一方、上記上下に一対の収納金具を、支柱側面に固定する固定片と、上記小口キャップにおけるスカートの支持縁部を受止め支持する固定片から外向きの段状受座と、該段状受座から上向きに突出した上記フック受溝挿入支持用のフック片とを備えて断面Ｓ字状に形成してなることを特徴とするカーポートのサポート柱収納装置としたものである。
【０００８】
請求項２に記載の発明は、上記に加えて、上下一対の小口キャップ双方の支持縁部をそれぞれか単に位置するものとし、上記サポート柱の下向き落し込み状に引っ掛け支持によるワンタッチの添設収納と取り外しをなし得るものとするように、これを、上記上下一対のうち上位の小口キャップにおけるスカートの開口端を上記支持縁部とする一方、下位の小口キャップに下向き開口のスリットを配置し、該スリットの開口端を上記支持縁部としてなることを特徴とする請求項１に記載のカーポートのサポート柱収納装置としたものである。
【０００９】
請求項３に記載の発明は、同じく上記に加えて、小口キャップを成形部材とすることによって、上位の中空柱材の浅溝とともに精度のよいフック受溝を形成して、より確実なサポート柱の添設支持をなし得るものとするように、これを、上記小口キャップを、アルミ鋳物、硬質樹脂等の成形部材としてなることを特徴とする請求項１又は２に記載のカーポートのサポート柱収納装置としたものである。
【００１０】
本発明はこれらをそれぞれ発明の要旨として、上記課題解決の手段としたものである。
【発明の効果】
【００１１】
本発明は以上のとおりに構成したから、請求項１に記載の発明は、スライド伸縮自在のサポート柱にあって、その上位の中空柱材が定尺であることから、該定尺の上位の中空柱材を支柱に添設支持するようにして、スライド伸縮の不完全による下位の中空柱材の下端に拘らず、サポート柱の収納を可能とし、スライド伸縮の長さの収納時の伸縮調整を不用として、下位の中空柱材に手や指を触れる可能性を可及的に解消し、手や指を触れる可能性のある上位の中空柱材における長手方向両端の小口に小口キャップを配置してアルミ押出材の切断によるエッジを被覆するとともに、該長手方向両端の小口キャップの配置をサポート柱の収納手段に利用して、小口キャップ配置の上位の中空柱材一側面長手方向全長に幅広の浅溝を凹陥形成し、上記小口キャップのスカートと該浅溝によってそれぞれ上向きのフック受溝を形成し、該フック受溝の開口端を添設支持のための支持縁部とする一方、支柱に設置する収納金具を、支柱への固定片、上記支持縁部を受ける段状受座及びフック受溝に挿入するフック片を有して、可及的に突出幅を縮小した断面Ｓ字状に形成し、サポート柱を下向き落し込み状に引っ掛け支持することによって、可及的簡易に支柱への添設支持をなし得るようにして、サポート柱の小口の露出や収納金具の突出に起因する危険性を可及的に解消するとともにサポート柱の収納を可及的簡易な作業によって安定且つ確実になし得るようにしたカーポートのサポート柱収納装置を提供できる。
【００１２】
請求項２に記載の発明は、上記に加えて、上下一対の小口キャップ双方の支持縁部をそれぞれか単に位置するものとし、上記サポート柱の下向き落し込み状に引っ掛け支持によるワンタッチの添設収納と取り外しをなし得るものとすることができる。
【００１３】
請求項３に記載の発明は、同じく上記に加えて、小口キャップを成形部材とすることによって、上位の中空柱材の浅溝とともに精度のよいフック受溝を形成して、より確実なサポート柱の添設支持をなし得るものとすることができる。
【発明を実施するための最良の形態】
【００１４】
以下図面の例に従って本発明を更に具体的に説明すれば、１はカーポート、１１はその支柱、１２は該支柱１１に支持した片持ち屋根、１３は該片持ち屋根の屋根先端部位に位置して、桁１４や図示省略の中桟等とともに該片持ち屋根の構造材をなす梁、２は地表との間で上記片持ち屋根の先端部位を支持するサポート柱、４は該サポート柱を取外して上記支柱１１に添設収納するに収納金具であり、上記サポート柱２は、該屋根先端部位と地表間に配置して片持ち屋根１２の耐風圧性や耐荷重性を確保するようにした、上位の中空柱材２１に下位の中空柱材２２をスライド自在に嵌合し、該上位の中空柱材２１の上位係脱金具２５を屋根先端部位、本例にあっては梁１３の長手方向先端部の支持金具５に、下位の中空柱材２２の下位係脱金具２６を地表の支持金具６に係脱自在に係合支持して屋根先端部位を支えるものとし、収納金具４は、支柱１１の一側面に固定して上記サポート柱２の取外し時に該サポート柱２を支柱１１側面に添設収納する上下に一対のものとしてある。
【００１５】
このときサポート柱２は、上記上下位のうち、上位の中空柱材２１を、その一側面の中央位置に長手方向全長に亘って凹陥形成した幅広の浅溝２２と、該上位の中空柱材２１におけるロ字状の小口を被覆し且つ両端外周をスカートで被覆するように長手方向両端を被嵌して設置した上下一対の小口キャップ３と、上記上位の中空柱材２１における幅広の浅溝２２とこれを被覆する各小口キャップ３のスカートによって区画形成したフック受溝３２と、該フック受溝３２の開口端の支持縁部３３を備えて形成してあり、また上記上下に一対の収納金具４は、これを、支柱１１側面に固定する固定片４１と、上記小口キャップ３の支持縁部３３を受止め支持する固定片４１から外向きの段状受座４２と、該段状受座４２から上向きに突出した上記フック受溝挿入支持用のフック片４３とを備えて断面Ｓ字状に形成したものとしてある。
【００１６】
本例にあって上下位の中空柱材２１、２３は、それぞれ中空のアルミ押出材を定尺長さに切断し、上位の中空柱材２１の中空部に下位の中空柱材２３をスライド伸縮自在に嵌合し、サポート柱２設置状態の上位の中空柱材２１における背面側の側面下方に配置したプレート金具の螺孔から蝶ボルト２４を、下位の中空柱材２３の同じく背面側の側面に、例えば２ｃｍ程度の所定ピッチで多数透設した図示省略の調整孔に挿入することによって、サポート柱２の長さを、例えば２〜３ｍの範囲で小ピッチで調整可能としてあり、このとき上位の中空柱材２１の上端には上位係脱金具２５を、下位の中空柱材２３の下端には下位係脱金具２６をそれぞれ固定し、該上位係脱金具２５を屋根先端部位設置の屋根の支持金具５に、下位係脱金具２６を地表埋込み設置の地表の支持金具６に係脱自在に係合支持することによって屋根先端部位を支えるようにしてある。
【００１７】
このとき上位の中空柱材２１は、その一側面、本例にあってはサポート柱２設置状態で正面側の側面に、上記幅広の浅溝２２を一体成形して配置してあり、本例にあって該浅溝２２は、その見付の、例えば５ｃｍ程度のうち、両側に１ｃｍ程度の突出縁部を残した３ｃｍ程度の幅にして、深さを０．５ｃｍ程度として、正面側の側面を開口した断面Ｃ字状をなすものとしてある。このように幅広の浅溝２２を配置することによって、上位の中空柱材２１の剛性を向上するとともに該浅溝２２によるフック受溝３２の配置を行なうに際して該中空柱材２１の断面形状が不必要に拡大するのを防止し、サポート柱２の可及的に断面形状を小さくしたものとしてある。
【００１８】
本例にあって上位係脱金具２５は、対向する固定片２５１と、該対向する固定片２５１を連結する天板２５２と、該天板２５２に奥行方向先端を円弧とし且つ開口端に開口を拡開するガイドを備えた係脱溝を配置したものとし、その固定片２５１を上位の中空柱材２１の中空部に嵌合して側面からネジ固定して、該上位の中空柱材２１の上端に設置してあり、該上位係脱金具２５は、例えば図示省略の挿入方向指示表示に従って、屋根先端部位、本例にあって上記梁１３の長手方向先端部に、該梁１３を被嵌して固定片５１を回動自在に軸支固定した屋根の支持金具５の底板５２と下支え板５３との間の空隙に天板２５２を挿入し、該天板２５２の挿入状態でサポート柱２を１／４円回動することにより、該屋根の支持金具５の上記底板５２と下支え板５３間に介設した平面小判形状をなす固定軸５４の円弧辺を係脱溝の円弧に受け入れることによって、その係止によるサポート柱２の上端支持を行う一方、サポート柱２を同じく１／４円回動して、固定軸５４の平行辺を係脱溝から引き抜き、係止解除による取り外しを行うものとしてある。また下位係脱金具２６は、同じく対向する長寸の固定片２６１と、該対向する長寸の固定片２６１を連結する底板と、該対向する長寸の固定片２６１の固定部位下方に横向きに配置したコ字状溝２６２を配置したものとし、該固定部位を下位の中空柱材２３の中空部に嵌合して同じく側面からネジ固定して、該下位の中空柱材２３の下端に設置してあり、該下位係脱金具２６は、上記上位係脱金具２５の係止状態でサポート柱２を屋根の支持金具５の軸支部位を中心として前後に回動し、地表に埋込設置した船形状をなす地表の支持金具６の上向き空間を横断するように設置した水平支持杆６１を、上記コ字状溝２６２に受け入れるとともに該下位の中空柱材２３に内蔵した落し棒２７によって水平支持杆６１の抜止めを行うことによって、その係止によるサポート柱２の下端支持を行う一方、落し棒２７を上昇してサポート柱２を逆方向に回動して、同じく係止解除による取り外しを行うものとしてある。
【００１９】
小口キャップ３は、これを、アルミ鋳物、硬質樹脂等の成形部材、本例にあっては、アルミ合金を一体に鋳造成形したアルミ鋳物による成形部材によるものとしてあり、該小口キャップ３は、それぞれ上位係脱金具２５乃至下位の中空柱材２３を挿通する透孔を透設して、上位の中空柱材２１の肉厚に応じた幅で面内方向に水平に突出した平面ロ字状をなす小口被覆片と、該小口被覆片と交差してその上下一方に向けて突出した筒状のスカートとを備えたものとしてある。これら小口キャップ３は、上位の中空柱材２１の上下端にそれぞれその小口被覆片によって小口を被覆するように該上位の中空柱材２１に被嵌して、そのスカートの対向する面から該中空柱材２１に螺入したネジ３４によって固定してあり、このとき上位の小口キャップ３の透孔から上記上位係脱金具２５を突出し、下位の小口キャップ３の透孔から下位の中空柱材２３を突出して、サポート柱２の係脱及びそのスライド伸縮の自在性を損なうことのないようにしてある。
【００２０】
これら小口キャップ３の被嵌によって、そのスカートと、上位の中空柱材２１の一側面、本例にあって上記サポート柱２設置状態の正面側の側面に形成した幅広の浅溝２２とによって、該上位の中空柱材２１の上下端に浅溝２２の深さに応じたフック受溝３２を形成してある。このとき上下一対のうち上位の小口キャップ３におけるスカートの開口端を支持縁部３３とする一方、下位の小口キャップ３に下向き開口のスリット３１を配置し、該スリット３１の開口端を支持縁部３３として、後述の収納金具４によってサポート柱２を支柱に収納するようにしてある。
【００２１】
本例にあって該下位の小口キャップ３のスリット３１は、その上記上位の中空柱材２１の幅広の浅溝２２を覆う一側面の小口被覆片における長手方向中間を部分的に切欠いて細溝の透孔を形成するように、即ち浅溝２２端部に位置する上記突出縁部に応じた長さに両側の小口被覆片を残して、その間に浅溝２２の深さに応じた溝幅に透設することによって、該スリット３１をフック受溝３２におけるフック片挿入用の開口としてあり、このとき上記収納金具４の段状受座４２に載置する支持縁部３３は、これを、該フック受溝３２の正面側に位置するスカートの開口端によるものとしてある。
【００２２】
本例にあって収納金具４は、上記固定片４１、段状受座４２及びフック片４３を備えて、固定片４１を鉛直に、段状受座４２を水平に、フック片４３を上方に向けてやや前傾した断面Ｓ字状に折曲形成した金属製、例えば厚肉のステンレス製のものとしてあり、固定片４１を、例えば上下一対の透孔を介してカーポート１の上記片持ち屋根１２を支持する支柱１１の側面、例えば屋根先端部位と反対側の梁１３側やカーポート１後方に向けた側面側にネジ４４固定してあり、このとき該収納金具４は、その固定片４１とフック片４３上端との幅を１ｃｍ程度として、その支柱１１からの突出幅を可及的に抑制してある。
【００２３】
このように形成した本例のサポート柱２は、その上位係脱金具２５及び下位係脱金具２６を屋根先端部位、本例にあっては上記梁１３の長手方向先端部の屋根の支持金具５と地表の支持金具６に係合することによって該屋根先端部位を地表との間で支えて、台風や積雪時期に片持ち屋根１２に耐風圧性、耐荷重性を付与する一方、これら以外の時期には、上位係脱金具２５及び下位係脱金具２６をこれら屋根の支持金具５と地表の支持金具６から外して、下位の中空柱材２３を上位の中空柱材２１にスライド縮小して短尺化したサポート柱２とし、上位の中空柱材２１上下端の小口キャップ３のフック受溝３２を、支柱１１の収納金具４側に向けて、下向きに落とし込むようにして各小口キャップ３のフック受溝３２にそれぞれ収納金具４のフック片４３を受け入れるとともに支持縁部３３を段状受座４２に載置するようにして、取り外したサポート柱２を支柱１１に添設収納すればよい。従ってサポート柱２を回動する必要もなく、ワンタッチの動作によって、サポート柱２を、小口キャップ３の支持縁部３３が段状受座４２に載置し、フック受溝３２にフック片４３が挿入した状態で安定且つ確実な添設収納することができる。またフック受溝３２は、小口キャップ３の支柱１１に面するスカート側に位置し且つ該フック受溝３２にフック片４３を受け入れてサポート柱２の添設収納が可能となるから、該添設収納の構造が単純にしてコンパクトに形成でき、従ってサポート柱２が支柱１１に近接して収納され、このためサポート柱２と支柱１１間にデッドスペースが生じて、該サポート柱２が支柱１１から大きく突出するようなことも防止できる。
【００２４】
また小口キャップ３は、サポート柱２の屋根先端部位と地表との設置作業や、該設置状態からの取り外し作業に際して、比較的手や指の触れ易い上位の中空柱材２１の上下端に、その小口を被覆するように配置されるから、該作業において手や指を損傷したりする危険性を可及的に解消することができるとともに収納金具４が支柱１１から大きく突出することがないので、サポート柱２の非収納時に該収納金具４に衣服が引っ掛かったり、手荷物が当ったりして、人が転倒しまた手荷物が損傷するような危険性を同じく可及的に解消することができる。
【００２５】
更に本例のサポート柱２は上下位の中空柱材２１、２３をスライド伸縮自在としてその長さを上記小ピッチで調整自在であり、また収納金具４は支柱１１にネジ４４止めして設置できるから、屋根及び地表の支持金具５、６とこれらをセットすれば、既設のカーポートに対する後付け用の商品として市場に供給して、片持ち屋根１２の耐風圧性や耐荷重性を向上するように、その使用を行なうものとすることも可能となる。
【００２６】
図示した例は以上のとおりとしたが、屋根の支持金具を、上記梁に代えて、屋根の前枠長手方向中間位置に設置して、上記梁と直交するように配置された前枠の該支持金具と地表の支持金具間でサポート柱を配置するようにすること、小口キャップの支持縁部や該支持縁部側のスカートを、例えば厚肉化した補強手段を施す一方、他の部位をこれより薄肉に形成すること、小口キャップを硬質合成樹脂製とすること、このとき同じく支持縁部や該支持縁部側のスカートを、例えば金属と複合形成する等して適宜の補強手段を施すこと等を含めて、本発明の実施に当って、サポート柱、その上下位の中空柱材、上位係脱金具、屋根先端部位及び地表の支持金具、幅広の浅溝、上下位の小口キャップ、そのフック受溝、支持縁部、収納金具、その固定片、段状受座、フック片等の各具体的形状、構造、材質、これらの関係、これらに対する付加等は、上記発明の要旨に反しない限り様々な形態のものとすることができる。
【図面の簡単な説明】
【００２７】
【図１】サポート柱装着状態を示すカーポートの斜視図である。
【図２】サポート柱と屋根の支持金具の関係を示す拡大側面図である。
【図３】サポート柱と地表の支持金具の関係を示す拡大断面図である。
【図４】サポート柱の支柱への添設収納状態を示す側面図である。
【図５】上位の小口キャップと収納金具の関係を示す拡大側面図である。
【図６】下位の小口キャップと収納金具の関係を示す拡大側面図である。
【符号の説明】
【００２８】
１  カーポート
１１  支柱
１２  片持ち屋根
１３  梁
１４  桁
２  サポート柱
２１  上位の中空柱材
２２  浅溝
２３  下位の中空柱材
２４  蝶ボルト
２５  上位係脱金具
２５１  固定片
２５２  天板
２６  下位係脱金具
２６１  固定片
２６２  コ字状溝
２７  落し棒
３  小口キャップ
３１  スリット
３２  フック受溝
３３  支持縁部
３４  ネジ
４  収納金具
４１  固定片
４２  段状受座
４３  フック片
４４  ネジ
５  屋根の支持金具
５１  固定片
５２  底板
５３  下支え板
５４  固定軸
６  地表の支持金具
６１  水平支持杆
【図１】
2010138611.tif 000003
【図２】
2010138611.tif 000004
【図３】
2010138611.tif 000005
【図４】
2010138611.tif 000006
【図５】
2010138611.tif 000007
【図６】
2010138611.tif 000008